(57)【要約】      （修正有）【課題】化粧用塗布液を塗布する際、ブラシ本体先端に団子状液溜りを形成させない液塗布具を提案して、使用者の使い勝手を向上することを課題とする。【解決手段】塗布液を多量に塗布する多量塗布ブラシ部（５Ｃ）および相対的に小さい径でなる少量塗布ブラシ部（５Ｄ）としごき孔（８Ａ）に挿入された液塗布本体から塗布液をしごいて落とすしごき環部を有し、径が相対的に大きくしごき環部(８Ｂ)によるしごきが強くなる多量塗布用ブラシ部(５Ｃａ)によってしごき孔(８Ａ)が押し広げられると共に、少量塗布用ブラシ部(５Ｄａ)によってしごき孔(８Ａ)の径が変化しないようにする。【選択図】図２
2007307311.tif 000002
【特許請求の範囲】
【請求項１】
塗布対象に対して塗布液を多量に塗布する多量塗布ブラシ部、及び上記多量塗布ブラシ部より相対的に小さい径でなる少量塗布ブラシ部を有する液保持部と、先端に上記液保持部が取り付けられたシャフトとからなる液塗布具本体と、
上記塗布液を貯蔵すると共に、上記液塗布具本体が挿入される塗布液容器と、
上記塗布液容器の上部に設けられ、上記液塗布具本体が上記塗布液容器から引き抜かれる際、しごき孔に挿入された上記液塗布具本体から上記塗布液をしごいて落とすしごき部と
を具え、
上記しごき孔から引き抜かれる際、上記多量塗布用ブラシ部は上記しごき孔を押し広げることにより多量の塗布液を残し、上記少量塗布ブラシ部は上記しごき孔を殆ど変形させないことにより過剰な上記塗布液をしごき落とす
ことを特徴とする液塗布具。
【請求項２】
塗布対象に対して塗布液を多量に塗布する多量塗布ブラシ部、及び上記多量塗布ブラシ部より相対的に小さい径でなる少量塗布ブラシ部、並びに上記多量塗布ブラシ部及び上記少量塗布ブラシ部間に設けられた押曲部を有する液保持部と、先端に上記液保持部が取り付けられたシャフトとからなる液塗布具本体と、
上記塗布液を貯蔵すると共に、上記液塗布具本体が挿入される塗布液容器と、
上記塗布液容器の上部に設けられ、上記液塗布具本体が上記塗布液容器から引き抜かれる際、しごき孔に挿入された上記液塗布具本体から上記塗布液をしごいて落とすしごき部と
を具え、
上記しごき孔から引き抜かれる際、上記多量塗布用ブラシ部は上記しごき孔を押し広げることにより多量の塗布液を残し、上記押曲部は上記しごき部を押し曲げることにより上記少量塗布ブラシ部に付着した過剰な上記塗布液をしごき落とす
ことを特徴とする液塗布具。
【請求項３】
塗布対象に対して塗布液を多量に塗布する多量塗布ブラシ部、上記多量塗布ブラシ部より相対的に小さい径でなる少量塗布ブラシ部、上記少量塗布ブラシ部に沿って設けられた２つの突出部及び上記２つの突出部の間隔を維持する間隔維持部を有する液保持部と、先端に上記液保持部が取り付けられたシャフトとからなる液塗布具本体と、
上記塗布液を貯蔵すると共に、上記液塗布具本体が挿入される塗布液容器と、
上記塗布液容器の上部に設けられ、上記液塗布具本体が上記塗布液容器から引き抜かれる際、しごき孔に挿入された上記液塗布具本体から上記塗布液をしごいて落とすしごき部と
を具え、
上記少量塗布ブラシ部が上記しごき孔から引き抜かれる際、２つの上記突出部は上記しごき孔を押し広げることにより、上記少量塗布ブラシ部に付着した過剰な上記塗布液をしごき落とす
ことを特徴とする液塗布具。
【請求項４】
中心の芯材にブラシ毛材が植毛され、塗布対象に対して上記ブラシ毛材に付着した塗布液を多量に塗布する多量塗布ブラシ部、及び上記多量塗布ブラシ部より相対的に小さい径でなる少量塗布ブラシ部を有する液保持部と、先端に上記液保持部が取り付けられたシャフトとからなる液塗布具本体と、
上記塗布液を貯蔵すると共に、上記液塗布具本体が挿入される塗布液容器と、
上記塗布液容器の上部に設けられ、上記液塗布具本体が上記塗布液容器から引き抜かれる際、しごき孔に挿入された上記液塗布具本体から上記塗布液をしごいて落とすしごき部と
を具え、
上記少量塗布ブラシ部が上記しごき孔から引き抜かれる際、上記芯材の中心を上記しごき孔から偏心させることにより、上記少量塗布ブラシ部に付着した過剰な上記塗布液をしごき落とす
ことを特徴とする液塗布具。
【発明の詳細な説明】
【技術分野】
【０００１】
本発明は、液塗布具に関し、特にマスカラブラシや毛染めブラシ、アイライナーなどのような化粧用塗布液を塗布する場合に適用して好適なものである。
【背景技術】
【０００２】
従来、例えば図３４に示すように、マスカラブラシとしての液塗布具Ｒ１は、塗布液容器Ｒ２の取出口Ｒ３から、キャップＲ６に固着されたシャフトＲ４の先端に設けられたブラシ本体Ｒ５を出し入れすることにより、ブラシ本体Ｒ５を塗布液としてのマスカラに浸して外部に取り出すようになされている。
【０００３】
取出口Ｒ３の内側には、円筒状のしごき部材Ｒ８が設けられ、ブラシ本体Ｒ５を取出口Ｒ３から引き抜くときに、ブラシ本体Ｒ５の外径より小さいしごき孔を有するしごき部材Ｒ８によってしごくことにより、ブラシ毛材Ｒ５Ａの周囲に付着している余分な塗布液を、落とすようになされている。
【０００４】
このブラシ本体Ｒ５として、根元側の多量塗布ブラシ部と先細でなる先端側の少量塗布ブラシ部からなる、いわゆる先細ブラシを使用するようになされたものがある（例えば、特許文献１及び２参照）。この多量塗布ブラシ部がまつ毛の主だった部分に塗布液を濃く塗布するために使用されると共に、この少量塗布ブラシ部が目元や目尻のまつ毛、及び下まつ毛など、まつ毛のうち細く短い微細部に対して少量の塗布液を塗布したり、過剰に塗布した塗布液を取り除くために使用される。
【特許文献１】特開２００２-１７２０１９公報
【特許文献２】特開２００５-８７６３５公報
【発明の開示】
【発明が解決しようとする課題】
【０００５】
ところで、近年、液塗布具としてのマスカラブラシにおいては、まつ毛にボリューム感を出すことが要求されている。このため、液塗布具は、ブラシ本体に多量の塗布液を保持させ、まつ毛にマスカラを濃く塗布するようになされている。
【０００６】
上述した液塗布具Ｒ１では、ブラシ本体Ｒ５を塗布液容器Ｒ２から引き抜いたとき、芯材に植毛されたブラシ毛材Ｒ５Ａがしごき部材Ｒ８によって引抜方向とは反対方向に押し付けられることにより、その方向に一斉に倒れるように動作し、これによりブラシ毛材Ｒ５Ａの周囲の塗布液が押し出され、ブラシ本体Ｒ５から塗布液がしごき落とされる。このときのしごき強さは、しごき孔の直径によって決定される。
【０００７】
先細ブラシを使用する液塗布具Ｒ１では、相対的に直径の小さい少量塗布ブラシ部に合わせてしごき部材Ｒ８の内径が小さく形成された場合、少量塗布ブラシ部を適度にしごいて程よい量の塗布液を残すことができるが、少量塗布ブラシ部より太く形成された多量塗布ブラシ部を強くしごいてしまい、この多量塗布ブラシ部に塗布液が少量しか残らないため、まつ毛にマスカラを濃く塗布することが困難である。
【０００８】
従って、この多量塗布ブラシ部に対して多量の塗布液を保持させるには、しごき部材Ｒ８の内径を大きくしてしごきを弱くすることが考えられる。
【０００９】
しかしながら、この多量塗布ブラシ部に対するしごきを弱くすると、多量塗布ブラシ部に多量の塗布液を残すことができるが、この多量塗布ブラシ部より細く形成された少量塗布ブラシ部に付着した余分な塗布液をしごき落とすことができなくなるため、この塗布液が少量塗布ブラシ部の先端に団子状になって溜ってしまう。このためこの液塗布具Ｒ１の使用者は、団子状になった塗布液である団子状液溜りをティッシュなどによって拭き取らねばならないという問題があった。
【００１０】
本発明は以上の点を考慮してなされたもので、ブラシ本体先端に団子状液溜りを形成させない液塗布具を提案しようとするものである。
【課題を解決するための手段】
【００１１】
かかる課題を解決するため本発明においては、塗布対象に対して塗布液７を多量に塗布する多量塗布ブラシ部５Ｃ、及び多量塗布ブラシ部５Ｃより相対的に小さい径でなる少量塗布ブラシ部５Ｄを有する液保持部５と、先端に液保持部５が取り付けられたシャフト４とからなる液塗布具本体２と、塗布液７を貯蔵すると共に、液塗布具本体２が挿入される塗布液容器３と、塗布液容器３の上部に設けられ、液塗布具本体２が塗布液容器３から引き抜かれる際、しごき孔８Ａに挿入された液塗布具本体２から塗布液７をしごいて落とすしごき部であるしごき環部８Ｂとを有し、しごき孔８Ａから引き抜かれる際、多量塗布用ブラシ部５Ｃはしごき孔８Ａを押し広げることにより多量の塗布液７を残し、少量塗布ブラシ部５Ｄはしごき孔８Ａを殆ど変形させないことにより過剰な塗布液７をしごき落とすようにする。
【００１２】
さらに本発明では、塗布対象に対して塗布液７を多量に塗布する多量塗布ブラシ部５Ｃ、多量塗布ブラシ部５Ｃより相対的に小さい径でなる少量塗布ブラシ部５Ｄ、並びに多量塗布ブラシ部５Ｃ及び少量塗布ブラシ部５Ｄ間に設けられた押曲部２２を有する液保持部５と、先端に液保持部５が取り付けられたシャフト４とからなる液塗布具本体２と、塗布液７を貯蔵すると共に、液塗布具本体２が挿入される塗布液容器３と、塗布液容器３の上部に設けられ、液塗布具本体２が塗布液容器３から引き抜かれる際、しごき孔８Ａに挿入された液塗布具本体２から塗布液７をしごいて落とすしごき部であるしごき環部８Ｂとを有し、しごき孔８Ａから引き抜かれる際、押曲部２２はしごき環部８Ｂを押し曲げることにより少量塗布ブラシ部５Ｃに付着した過剰な塗布液７をしごき落とすようにする。
【００１３】
また本発明では、塗布対象に対して塗布液７を多量に塗布する多量塗布ブラシ部５Ｃ、多量塗布ブラシ部５Ｃより相対的に小さい径でなる少量塗布ブラシ部５Ｄ、少量塗布ブラシ部５Ｄに沿って設けられた２つの突出部３４Ａ、３４Ｂ及び２つの突出部３４Ａ、３４Ｂの間隔を維持する間隔維持部３５を有する液保持部５と、先端に液保持部５が取り付けられたシャフト４とからなる液塗布具本体２と、塗布液７を貯蔵すると共に、液塗布具本体２が挿入される塗布液容器３と、塗布液容器３の上部に設けられ、液塗布具本体２が塗布液容器３から引き抜かれる際、しごき孔８Ａに挿入された液塗布具本体２から塗布液７をしごいて落とすしごき部であるしごき環部８Ｂとを有し、少量塗布ブラシ部５Ｄが上記しごき孔８Ａから引き抜かれる際、２つの突出部３４Ａ、３４Ｂは上記しごき孔８Ａを押し広げることにより、少量塗布ブラシ部５Ｄに付着した過剰な塗布液７をしごき落とすようにする。
【００１４】
さらに本発明では、中心の芯材５Ｂにブラシ毛材が植毛され、塗布対象に対してブラシ毛材に付着した塗布液７を多量に塗布する多量塗布ブラシ部５Ｃ、及び多量塗布ブラシ部５Ｃより相対的に小さい径でなる少量塗布ブラシ部５Ｄを有する液保持部５と、先端に液保持部５が取り付けられたシャフト４とからなる液塗布具本体２と、塗布液７を貯蔵すると共に、液塗布具本体２が挿入される塗布液容器３と、塗布液容器３の上部に設けられ、液塗布具本体２が塗布液容器３から引き抜かれる際、しごき孔８Ａに挿入された液塗布具本体２から塗布液７をしごいて落とすしごき部であるしごき環部８Ｂとを有し、少量塗布ブラシ部５Ｄがしごき孔８Ａから引き抜かれる際、芯材５Ｂの中心となる中心線ＣＬをしごき孔８Ａから偏心させることにより、少量塗布ブラシ部５Ｄに付着した過剰な塗布液７をしごき落とすようにする。
【発明の効果】
【００１５】
本発明によれば、多量の塗布液を保持させたままにすることが好ましい多量塗布ブラシ部に対してはしごき孔を広げることにより大きいしごき孔で弱くしごくと共に、少量の塗布液のみを残すことが好ましい少量塗布ブラシ部に対してはしごき孔が殆ど変形しないため、より小さいしごき孔で強くしごくことができ、多量塗布ブラシ部より少量塗布ブラシ部の直径が相対的に小さく形成された少量塗布ブラシ部を強くしごいて液保持部の先端に団子状液溜りを形成させない。
【００１６】
本発明によれば、多量の塗布液を保持させたままにすることが好ましい多量塗布ブラシ部に対してはしごき孔を広げることにより大きいしごき孔で弱くしごくと共に、少量の塗布液のみを残すことが好ましい少量塗布ブラシ部に対しては、押曲部によって押し曲げられたしごき部の弾性力によって強くしごくことができ、多量塗布ブラシ部より少量塗布ブラシ部の直径が相対的に小さく形成された少量塗布ブラシ部を強くしごいて液保持部の先端に団子状液溜りを形成させない。
【００１７】
さらに本発明では、多量の塗布液を保持させたままにすることが好ましい多量塗布ブラシ部に対してはしごき孔を変化させずに弱くしごくと共に、少量の塗布液のみを残すことが好ましい少量塗布ブラシ部に対しては、２つの突出部によってしごき孔を楕円状に押し広げることにより、小さくなったしごき孔の短軸方向によって少量塗布ブラシ部を部分的に強くしごいて液保持部の先端に団子状液溜りを形成させない。
【００１８】
さらに本発明では、多量の塗布液を保持させたままにすることが好ましい多量塗布ブラシ部に対してはしごき孔を変化させずに弱くしごくと共に、少量の塗布液のみを残すことが好ましい少量塗布ブラシ部の芯材をしごき孔の中心から偏心させることにより、少量塗布ブラシ部を部分的に強くしごいて液保持部の先端に団子状液溜りを形成させない。
【発明を実施するための最良の形態】
【００１９】
以下、図面について、本発明の一実施の形態を詳述する。
【００２０】
（１）第１の実施の形態
図１は、第１の実施の形態を示すもので、１は、全体として液塗布具を示し、液塗布具本体２と、塗布液容器３とから構成されている。
【００２１】
液塗布具本体２は、シャフト４がキャップ６に固着されると共に、図２に示すように、シャフト４の先端に設けられた挿入穴４Ａに対し、液保持部５の芯材５Ｂが挿入されることにより取り付けられている。この液塗布具本体２は塗布液容器３内に液保持部５を出し入れさせることにより、液保持部５を塗布液容器３内に溜められたマスカラである塗布液７に浸して外部に取り出させる。
【００２２】
液保持部５は、シャフト側の寸胴部分と先端側に向かって細くなる円錐台部分から構成されたブラシ部材１５でなり、寸胴部分の多量塗布ブラシ部５Ｃと、円錐台部分の少量塗布ブラシ部５Ｄとを有する。この少量塗布ブラシ部５Ｄの平均直径は多量塗布ブラシ部５Ｃの平均直径よりも小さく、少量塗布ブラシ部５Ｄが多量塗布ブラシ部５Ｃよりも相対的に小さい径を有している。
【００２３】
ブラシ部材１５は、０．１〜２．０〔ｍｍφ〕の太さのステンレスでなる線材上に多数のブラシ繊維材料を配列し、この線材を折り曲げて当該ブラシ繊維材料を挟み込んだ状態において当該線材にねじり加工を施すことにより、ねじり加工された当該線材でなる芯材５Ｂを中心として、直線的に外方にブラシ毛材を突出するように植毛した構成を有する。
【００２４】
一方、塗布液容器３（図１）は、その上部に図３に示すしごき部材８が嵌めこまれている。このしごき部材８は、その直径が基準孔径Ｄｐでなる真円状のしごき孔８Ａが設けられた円錐台状のしごき環部８Ｂを有している。このしごき環部８Ｂは、しごき孔８Ａに挿入されたブラシ部材１５を取出口２Ａから引き抜くときに、シャフト４に付着する塗布液７をしごき落とすと共に、ブラシ部材１５の周囲に付着している塗布液７（以下、これを付着塗布液７Ａと呼ぶ）をしごき落とすことにより、当該付着塗布液７Ａが適度な量になるように調整する。
【００２５】
液塗布具１においては、図２に示したように、少量塗布ブラシ部５Ｄに適量の付着塗布液７Ａを残すことができるよう、しごき孔８Ａの基準孔径Ｄｐが、少量塗布ブラシ部５Ｄの最小径Ｄｄとほぼ同じになるように形成されていると共に、シャフト４に付着した塗布液をしごき落とすことができるように、シャフト４の直径であるシャフト径Ｄｓより０．１〜０．３ｍｍ程度小さくなるように形成されている。
【００２６】
図４に示すように、液塗布具１では、液保持部５であるブラシ部材１５が塗布液容器３から引き抜かれるとき、この引抜方向に対してほぼ直角に植毛されたブラシ毛材がしごき環部８Ｂに当接する。
【００２７】
このとき、ブラシ部材１５がしごき環部８Ｂより強ければ、しごき孔８Ａが押し広げられてしごき孔８Ａの孔径が基準孔径Ｄｐより大きくなる一方、ブラシ部材１５がしごき環部８Ｂより弱ければ、しごき孔８Ａが押し広げられることがなく、しごき孔８Ａの径が変化しないで基準孔径Ｄｐのままとなる。
【００２８】
本実施の形態においては、多量塗布ブラシ部５Ｃによってしごき孔８Ａが押し広げられるのに対し、少量塗布ブラシ部５Ｄによってしごき孔８Ａが押し広げられることがないように、しごき環部８Ｂが多量塗布ブラシ部５Ｃより弱く、少量塗布ブラシ部５Ｄより強く形成されている。
【００２９】
具体的に、ブラシ部材１５では、多量塗布ブラシ部５Ｃのブラシ毛材（以下、これを多量塗布用毛材５Ｃａと呼ぶ）を少量塗布ブラシ部５Ｄのブラシ毛材（以下、これを少量塗布用毛材５Ｄａと呼ぶ）より太くすることにより、多量塗布ブラシ部５Ｃが少量塗布ブラシ部５Ｄより強く形成される。
【００３０】
一方、しごき環部８Ｂは、可撓性を有すると共に、多量塗布ブラシ部５Ｃより弱く、少量塗布ブラシ部５Ｄより強くなるような硬さを有する材料が選択される。このしごき環部８Ｂの材料としては、ＮＢＲ（acryloNitrile Butadiene Rubber）、シリコンゴム、フッ素ゴムなどの耐薬品性を有する樹脂材料から選択されると共に、これらの樹脂材料に対して軟質ポリエチレン、軟質ポリプロピレン、各種エラストマー及び各種可塑剤などが適宜混合されることにより、しごき環部８Ｂの硬さが調整される。
【００３１】
以上の構成において、液塗布具本体２が塗布液容器３から引き抜かれる際、図５に示すように、しごき環部８Ｂはシャフト４に付着する塗布液７をしごき落とし、引き続き多量塗布ブラシ部５Ｃ及び少量塗布ブラシ部５Ｄをしごく。図６（Ａ）に示すように、多量塗布ブラシ部５Ｃがしごき孔８Ａから引き抜かれる際、多量塗布ブラシ部５Ｃがしごき環部８Ｂより強いため、多量塗布ブラシ部５Ｃがしごき孔８Ａを拡大孔径Ｄｗまで押し広げることにより、多量塗布用毛材５Ｃａの芯材５Ｂに対する最大倒れ角度ＡＦｃを緩やかにすることができる。この結果、多量塗布用毛材５Ｃａに多く残された間隙に付着塗布液７Ａが保持されるため、多量塗布用ブラシ部５Ｃに多量の付着塗布液７Ａを残した状態にすることができる。
【００３２】
これに対して、図６（Ｂ）に示すように、少量塗布ブラシ部５Ｄがしごき孔８Ａから引き抜かれる際、少量塗布ブラシ部５Ｃがしごき環部８Ｂより弱いため、少量塗布用毛材５Ｄａはしごき孔８Ａを殆ど変形させず、基準孔径Ｄｐのままとなるため、しごき環部８Ｂによって押し倒されるときの少量塗布用毛材５Ｄａの芯材５Ｂに対する最大倒れ角度ＡＦｄを急峻なままにでき、この急角度で倒れた少量塗布用毛材５Ｄａによって先端の少量塗布用毛材５Ｄａまで倒すことができる。この結果、液塗布具１は、少量塗布ブラシ部５Ｄの先端までしごくことができ、少量塗布ブラシ部５Ｄに少量の付着塗布液７Ａしか残さない。
【００３３】
すなわち、しごき環部８Ｂは、押し広げられた拡大孔径Ｄｗで多量塗布ブラシ部５Ｃをしごくと共に基準孔径Ｄｐで少量塗布ブラシ部５Ｄをしごくため、図７に示すように、少量塗布用毛材５Ｄａの倒れ角度ＡＦｄを多量塗布用毛材５Ｃａの最大倒れ角度ＡＦｃより大きくし、多量塗布ブラシ部５Ｃより相対的に直径の小さい少量塗布ブラシ部５Ｄを多量塗布ブラシ部５Ｃよりも強くしごくことができるため、ブラシ先頂部５Ａに団子状になった塗布液７（以下、これを団子状液溜りと呼ぶ）を形成させない。
【００３４】
このとき、芯材５Ｂに対するブラシ毛材の最大倒れ角度ＡＦを３０[°]以上にすることにより、押し倒されたブラシ毛材が折れ曲がってしまうことなく、当該ブラシ毛材を確実に元の位置へ戻させることができる。
【００３５】
以上の構成によれば、使用者は、多量塗布ブラシ部５Ｃを使用して一度の塗布操作によってまつ毛に塗布液７であるマスカラを濃く塗布させることができる。さらに使用者は、多量塗布ブラシ部５Ｃによる塗布動作後に少量塗布ブラシ部５Ｄを使用して、濃すぎるマスカラを落としたり、マスカラに含まれる繊維の方向をまつ毛に沿わせたり、まつ毛をカールさせるなどの修正動作をすることができると共に、マスカラを皮膚に付着させることなく目元、目尻、下まつ毛などの微細部にマスカラを容易に塗布することができる。
【００３６】
なお、上述した第１の実施の形態においては、多量塗布用毛材５Ｃａとして、ブラシ毛材の太さによって多量塗布ブラシ部５Ｃ及び少量塗布ブラシ部５Ｄの強さを調整するようにした場合について述べたが、本発明はこれに限らず、以下に述べるるようにブラシ毛材の材料、形状、量など様々な因子によって多量塗布ブラシ部５Ｃ及び少量塗布ブラシ部５Ｄの強さを変化させることができる。
【００３７】
例えば、多量塗布用毛材５Ｃａと少量塗布用毛材５Ｄａとにおいて太さや形状などが同一の場合には、以下に示すように、多量塗布用毛材５Ｃａが少量塗布用毛材５Ｄａより硬く（弾性が大きく）なるように、それぞれの材料が組み合わされることにより、多量塗布ブラシ部５Ｃが少量塗布ブラシ部５Ｄより強くなるように形成される。
【００３８】
多量塗布用毛材５Ｃａ              少量塗布用毛材５Ｄａ
ポリエステル                    ナイロン
ナイロン                             ポリプロピレン
ポリプロピレン                  軟質ナイロン
硬質ポリエチレン                     軟質ポリエチレン
硬質樹脂                             半硬質及び軟質樹脂
【００３９】
さらに、多量塗布用毛材５Ｃａの毛材量（本数や重量、密度など）や、ブラシ毛材の長さによって多量塗布ブラシ部５Ｃ及び少量塗布ブラシ部５Ｄの強さを変化させることができる。
【００４０】
他にも、ブラシ毛材の形状を波線状にしたり、例えば図８に示すように、様々な断面形状でなるブラシ毛材を適宜組み合わせることにより、多量塗布ブラシ部５Ｃ及び少量塗布ブラシ部５Ｄの強さを調整することができる。また、図８以外にも、楕円、三角、四角、平板状、異形など様々な断面形状でなるブラシ毛材を適宜組み合わせることが可能である。
【００４１】
さらに、上述したブラシ毛材の材料、太さ、量、形状を適宜組み合わせることにより、多量塗布ブラシ部５Ｃを少量塗布ブラシ部５Ｄより強くするようにしても良い。
【００４２】
例えば、少量塗布用毛材５Ｄａの量を多量塗布用毛材５Ｃａより多くし、上述した目元などの繊細部分を塗布するときの少量塗布ブラシ部５Ｄの使い易さを一段と向上させた場合であっても、ブラシ毛材の材料や断面形状、太さなどを組み合わせることによって多量塗布ブラシ部５Ｃを少量塗布ブラシ部５Ｄより強くすることができる。
【００４３】
さらに上述した第１の実施の形態においては、材料の選定による硬さの調整によってしごき環部８Ｂの強さを調整するようにした場合について述べたが、本発明はこれに限らず、図示しないが、しごき環部８Ｂの厚さや芯材５Ｂに対する角度、しごき孔８Ａの基準孔径Ｄｐなど、しごき環部８Ｂの形状を変化させることによってもしごき環部８Ｂの強さを変化させることができる。
【００４４】
さらに上述した第１の実施の形態においては、基準孔径Ｄｐを少量塗布ブラシ最小径Ｄｄとほぼ同一にするようにした場合について述べたが、本発明はこれに限らず、塗布液７の粘度、しごき環部８Ｂ及び少量塗布ブラシ部５Ｄの強さの関係に応じて少量塗布ブラシ部５Ｄに適量の付着塗布液７Ａが残るように、基準孔径Ｄｐを適宜変更しても良い。
【００４５】
さらに上述した第１の実施の形態においては、液保持部５が図２に示す寸胴部分と円錐台部分とから構成されるブラシ部材１５でなるようにした場合について述べたが、本発明はこれに限らず、例えば図９（Ａ）に示す先細の円錐台状でなるブラシ部材１５ｂや、図９（Ｂ）に示すいわゆるひょうたん型でなるブラシ部材１５ｃでなるようにしても良い。
【００４６】
さらに上述した第１の実施の形態においては、ブラシ毛材の先端部分の形状について特に限定していないが、例えば少量塗布用毛材５Ｄａとして、先端が針状に先加工された先加工糸を用いることにより、少量塗布用毛材５Ｄａ全体としてのコシを大きく変化させることなく、実際に使用される先端部分を毛が細く短いまつ毛の微細部分に合わせて細くすることができ、少量塗布ブラシ部５Ｄを一段と使い易くすることができる。
【００４７】
さらに上述した第１の実施の形態においては、ステンレス線材によってブラシ繊維材料をはさみ、ねじり処理を施す、いわゆるねじりブラシとしてブラシ部材１５を形成したようにした場合について述べたが、本発明はこれに限らず、例えば水平な円盤型になるように放射状にブラシ繊維材料を配列した状態で、このブラシ繊維材料の中心を熱固着して一組にし、これを芯材に通して積層する、いわゆる熱密着ブラシ（円形放射ブラシ）としてブラシ部材１５を形成するようにしても良い。
【００４８】
この熱密着ブラシでは、芯材５Ｂに対して水平方向にブラシ毛材が植毛されているため、ブラシ部材１５を回転させることにより、塗布対象に塗布液を塗布する場合であっても、ねじりブラシのようにねじり段差により少しずつブラシ毛材の位置が変わって塗布ムラを生じさせることがなく、まつ毛に対して１回の塗布で均一に塗布液７を塗布することができる。
【００４９】
（２）第２の実施の形態
図１０〜１４は、第２の実施の形態を示すもので、図１〜９に示す第１の実施の形態に対応する部分を同一符号で示すように、液保持部５が先細の円錐台形状でなるブラシ部材２１及び押曲部２２から構成されている。図１０に示すように、このブラシ部材２１は、図２のブラシ部材１５における多量塗布用毛材５Ｃａを用いることにより、全域に渡ってしごき環部８Ｂより強く形成されている。さらにこのブラシ部材２１は、シャフト側の太い多量塗布ブラシ部５Ｃと、先端部分となる細い少量塗布ブラシ部５Ｄとを有しており、これらの間に押曲部２２を有している。
【００５０】
この押曲部２２は、中心孔２２Ａを有する円盤形状でなり、その外周に複数の凸部２２Ｂを有しており、その凸部２２Ｂの外周が少量塗布ブラシ部５Ｄの直下部分の外径より僅かに小さくなるように形成されている。押曲部２２は、ブラシ部材２１の中心線ＣＬ上にある芯材２１Ｂに対し、例えば熱溶着などによって固着されることにより取り付けられる。
【００５１】
この押曲部２２は、硬質又は半硬質の樹脂材料、鋼材などによって形成されることにより、しごき環部８Ｂの強さに負けて大きく変形することが無い。
【００５２】
以上の構成において、液塗布具本体２が塗布液容器３から引き抜かれる際、液塗布具１は、しごき環部８Ｂによってシャフト４に付着する塗布液７をしごき、引き続き多量塗布ブラシ部５Ｃ及び少量塗布ブラシ部５Ｄをしごく。図１１に示すように、ブラシ部材２１の強さがしごき環部８Ｂより大きくなるように形成されているため、多量塗布ブラシ部５Ｃは、しごき孔８Ａの孔径が拡大孔径Ｄｗまで押し広げられた状態のしごき環部８Ｂによってしごかれる。
【００５３】
図１２（Ａ）に示すように、押曲部２２は、しごき環部８Ｂに当接して引っ掛かると、しごき孔８Ａを押し広げ、これによりしごき環部８Ｂを引抜方向に大きく折り曲げる。そして押曲部２２は、しごき孔８Ａを押曲部２２とほぼ同じ大きさである押曲孔径Ｅｄまで押し広げた瞬間に、しごき環部８Ｂを解放するため、折り曲げられていたことによって蓄えられていたしごき環部８Ｂの弾性力ＰＥによってしごき孔８Ａの孔径を一気に元の基準孔径Ｄｐの状態に戻す。
【００５４】
このとき、図１２（Ｂ）に示すように、しごき環部８Ｂは、その弾性力ＰＥによって少量塗布ブラシ部５Ｄを押し倒し、しごき孔８Ａの孔径が基準孔径Ｄｐの状態で少量塗布ブラシ部５Ｄの過剰な付着塗布液７Ａをしごき落とすことができ、ブラシ先頂部２２Ａに団子状液溜りを形成させない。
【００５５】
以上の構成によれば、押曲部２２によってしごき環部８Ｂを変形させてしごき孔８Ａを大きくした状態から一気に復元させるときの弾性力ＰＥを利用することにより、しごき孔８Ａが基準孔径Ｄｐまで小さく戻されたしごき環部８Ｂによって少量塗布ブラシ部５Ｄの過剰な付着塗布液７Ａをしごき落として、少量塗布ブラシ部５Ｄを多量塗布ブラシ部５Ｃより強くしごくことができる。
【００５６】
なお、上述した第２の実施の形態においては、円盤部分と放射状に突出する複数の凸部分とから構成される押曲部２２が、熱溶着などによって芯材２１Ｂに対して直接固着されるようにした場合について述べたが、本発明はこれに限らず、例えば図１３（Ａ）に示すように、押曲部２２ａが、当該押曲部２２ａから延設された梁２２Ｘ及び固定部２２Ｙを介してシャフト４に固着されるようにしても良い。この場合であっても同様に、しごき環部８Ｂを押し曲げて少量塗布ブラシ部５Ｃを強くしごくことができる。なお、この梁２２Ｘは、多量塗布ブラシ部５Ｄのブラシ毛材を掻き分けて溝を形成するようになされており、多量塗布ブラシ部５Ｄがしごかれる際、この溝に多量の塗布液７を保持することができるようになされている。また、使用者はこの梁２２Ｘを使用してまつ毛をカールさせると共に、梁２２Ｘ上に形成された直角方向の溝２２ＥＶに保持される塗布液７をまつ毛に塗布させることができる。
【００５７】
また、図１３（Ｂ）に示すように、押曲部２２ｂが、芯材２１Ｂから放射状に広がる線材でなり、例えばブラシ本体２０の製造時にブラシ繊維材料と共に配列されることにより、ブラシ本体２０と一体に形成されるようにしても良い。この場合であっても、同様にしごき環部８Ｂを押し曲げて少量塗布ブラシ部５Ｃを強くしごくことができる。
【００５８】
さらに、上述した第２の実施の形態においては、押曲部２２の多量塗布ブラシ部２２側の面が平滑であるようにした場合について述べたが、本発明はこれに限らず、図１４（Ａ）に示す押曲部２２ｃのように、溝２２Ｗを形成して押曲部２２に塗布液７を保持させたり、図１４（Ｂ）に示す押曲部２２ｅのように、孔２２Ｕを形成して押曲部２２上に塗布液７を保持させないようにしても良い。また、図示しないが、押曲部２２は必ずしも円形でなくても良く、四角形や五角形などの形状を有していても良い。
【００５９】
（３）第３の実施の形態
図１５〜２０は、第３の実施の形態を示すもので、図１〜９に示す第１の実施の形態に対応する部分を同一符号で示すように、液保持部５がブラシ部材２１と、枠本体３１とによって構成される。図１５（Ｃ）に示すように、このブラシ部材２１は全体として円錐台形状を有し、芯材５Ｂに対して１種類のブラシ毛材が植毛されたねじりブラシでなり、径の大きい多量塗布ブラシ部５Ｃ及び先細の少量塗布ブラシ部５Ｄを有している。
【００６０】
枠本体３１は、図１５（Ｂ）に示すように、シャフト４に固定される固定部３６から所定間隔で平行に延設され、断面がほぼ三角形状でなる一対の梁３３Ａ及び３３Ｂと、この梁３３Ａ及び３３Ｂより大きい間隔を有する断面がほぼ三角形状の一対の突出部３４Ａ及び３４Ｂと、この梁３３Ａ、３３Ｂ及び突出部３４Ａ、３４Ｂの間に設けられた中心孔３５Ａを有する間隔維持部３５とが一体成型されている。この枠本体３１は、図３に示したほぼ真円でなるしごき孔８Ａから引き抜かれるときであっても、その形状を大きく変化させない硬度を持った、例えばポリエチレンやポリプロピレンなどの硬質又は半硬質の樹脂材料や鋼材など、硬い材料によって形成されている。
【００６１】
液保持部５は、図１５（Ａ）に示すように、固定部３６がシャフト４に対して固着された後、間隔維持部３５の中心孔３５Ａ及び固定部３６の中心孔３６Ａにブラシ部材２１を貫通させると共に、芯材５Ｂの根元側をシャフト４の図示しない挿入穴に挿入させることによって組み立てられる。
【００６２】
この結果、液保持部５は、一対の梁３３Ａ及び３３Ｂを多量塗布ブラシ部５Ｃの側部に、中心となる芯材５Ｂに対して相対向するように配置させ、図１６（Ａ）に示すように、梁３３Ａ及び３３Ｂの側面に多量塗布用毛材５Ｃａを当接させて押し分けることにより、塗布液７を溜める空間である液溜空間ＬＳを形成する。
【００６３】
また、梁３３Ａ及び３３Ｂは、その外端間距離Ｌｏがしごき孔８Ａ（図３）の基準孔径Ｄｐより小さくなるように形成されている。
【００６４】
これにより、多量塗布ブラシ部５Ｃがしごき孔８Ａから引き抜かれる際、図１７（Ａ）に示すように、点線で示す径を有していた多量塗布ブラシ部５Ｃを基準孔径Ｄｐでなるしごき環部８Ｂでしごくことができ、ブラシ外周部分ＯＢの過剰な付着塗布液７をしごき落とす。このとき多量塗布ブラシ部５Ｃは、中心に近い内周部分に塗布液７を残すと共に、しごき孔８Ａと梁３３Ａ及び３３Ｂとの間に残された液溜空間内周部分ＬＳａに多量の塗布液７を残すことができる。
【００６５】
一方、液保持部５は、一対の突出部３４Ａ及び３４Ｂを少量塗布ブラシ部５Ｄの側部に芯材５Ｂに対して相対向させて配置させる。
【００６６】
突出部３４Ａ及び３４Ｂは、図１６（Ｂ）に示すように、その外端間距離Ｌｐがしごき孔８Ａ（図３）の基準孔径Ｄｐより大きくなるように形成されると共に、図１５（Ｂ）に示したように間隔維持部３５によってこの突出部３４Ａ及び３４Ｂの間隔が強固に維持されている。
【００６７】
これにより、図１７（Ｂ）に示すように、少量塗布ブラシ部５Ｃがしごき孔８Ａから引き抜かれる際、突出部３４Ａ及び３４Ｂは、しごき孔８Ａの並列方向を基準孔径Ｄｐより大きい孔長軸長Ｄｌまで引き伸ばすため、しごき孔８Ａを元の大きさに戻そうとする弾性力によりしごき孔８Ａの直角方向が基準孔径Ｄｐより小さい孔短軸長Ｄｎに縮められる。このため少量塗布ブラシ部５Ｄは、しごき環部８Ｂによって直角方向を圧縮されて根元まで強くしごかれる。
【００６８】
以上の構成において、液塗布具２が塗布液容器３から引き抜かれる際、しごき環部８Ｂによってシャフト４及び固定部３６に続きしごかれる多量塗布用ブラシ部５Ｃは、外周部分の過剰な付着塗布液７Ａをしごき落とすと共に液溜空間内周部分ＬＳａに必要な量の付着塗布液７Ａを残すことができる。一方少量塗布ブラシ部５Ｄは、図１８に示すように、突出部３４Ａ及び３４Ｂによってしごき孔８Ａが並列方向に押し広げられてほぼ楕円状に変形されることにより、直角方向に圧縮されて付着塗布液７Ａを激しく絞り出すことができ、過剰な付着塗布液７Ａを確実にしごき落として団子液溜りを形成させない。
【００６９】
以上の構成によれば、使用者は多量塗布ブラシ部５Ｃを用いてまつ毛に対して回転させながら塗布操作をすれば、濃い塗布液がまつ毛に塗布されると共に梁３３Ａ及び３３Ｂによってまつ毛に対するカール動作をすることができる。
【００７０】
このとき梁３３Ａ及び３３Ｂの外側に塗布液７を保持する横方向の溝３３Ｃａが設けられているため、使用者が梁３３Ａ及び３３Ｂを用いてカール動作をする際、まつ毛を溝３３Ｃａに沿わせて簡単にまつ毛をカールさせることができると共に、使用者がカール動作する際、溝３３Ｃａに保持された塗布液７をまつ毛に塗布させることができる。
【００７１】
さらに使用者は、過剰な付着塗布液７Ａを有さない少量塗布ブラシ部５Ｄを用いてまつ毛に塗布された塗布液７の修正動作をしたり、まつ毛の微細部分に対する塗布操作をすることができる。
【００７２】
なお、上述した第３の実施の形態においては、突出部３４の剛性、外端間距離Ｌｐについて特に限定していないが、これらの因子によって孔短軸長Ｄｎを適宜変化させることにより、孔短軸長Ｄｎを変化させて少量塗布ブラシ部５Ｃに対するしごきの程度を適宜調整することが可能である。例えば突出部３４の外端間距離Ｌｐを大きくすることにより、少量塗布ブラシ部５Ｄを一段と小さい孔短軸長Ｄｎで強くしごくことができる。
【００７３】
さらに上述した第３の実施の形態においては、枠本体３１の梁３３の外端間距離Ｌｏが多量塗布ブラシ部５Ｃの外径より小さく形成されるようにした場合について述べたが、本発明はこれに限らず、図１９（Ａ）に示す枠本体３１のように、梁３３Ａ、３３Ｂの外端間距離Ｌｏを突出部３４Ａ、３４Ｂの外端間距離Ｌｐと同一にし、梁３３Ａ、３３Ｂが突出部３４Ａ、３４Ｂと連接されるように設けると共に、梁３３Ａ、３３Ｂの内側に溝３３Ｃｂを形成するようにしても良い。この場合、図１９（Ｂ）に示すように、梁３３Ａ、３３Ｂは、溝３３Ｃｂに塗布液７を多量に残すことができる。
【００７４】
また上述した第３の実施の形態においては、枠本体３１が２本の梁３３と２つの突出部３４と間隔維持部３５とを有するようにした場合について述べたが、本発明はこれに限らず、少量塗布ブラシ部５Ｄに沿って２つの突出部３４及び間隔維持部３５が設けられれば良く、例えば図２０に示すように、１本の梁３３Ａに２つの突出部３４Ａ及び３４Ｂを設けたり、図２１に示すように、２つの突出部３４Ａ、３４Ｂが取り付けられた間隔維持部３５をブラシ部材２１の芯材５Ｂに直接固着するようにしても良い。
【００７５】
さらに上述した第３の実施の形態においては、梁３３Ａ及び３３Ｂの外側に溝３３Ｃａが形成されるようにした場合について述べたが、本発明はこれに限らず、必ずしも溝３３Ｃａを設けなくても良い。
【００７６】
さらに上述した第３の実施の形態においては、突出部３４Ａ及び３４Ｂの断面形状がほぼ三角形状でなるようにした場合について述べたが、本発明はこれに限らず、丸や楕円など、少量塗布ブラシ部５Ｄのしごきの程度に応じて適宜その断面形状を選択することができる。
【００７７】
さらに上述した第３の実施の形態においては、ブラシ部材２１の強さについては限定していないが、ブラシ部材２１としごき環部８との強さの関係に制限はなく、どちらが大きくても良い。
【００７８】
さらに上述した第３の実施の形態においては、液保持部５は、シャフト４に枠本体３１が固着された後にブラシ部材２１が挿入されて組み立てられるようにした場合について述べたが、本発明はこれに限らず、シャフト４にブラシ部材２１が取り付けられた後、枠本体３１が取り付けられるようにしても良い。
【００７９】
（４）第４の実施の形態
図２２〜２７は第４の実施の形態を示すもので、図１５〜２１に示す第３の実施の形態に対応する部分を同一符号で示している。
【００８０】
この枠本体３１は、図２２（Ｂ）に示すように、図１５の枠本体３１における一対の梁３３Ａ及び３３Ｂ、並びに一対の突出部３４Ａ及び３４Ｂのうち、片側の梁３３Ａ及び突出部３４Ａのみを有している。
【００８１】
梁３３Ａは、図２３（Ａ）に示すように、その外端から液保持部５の中心までの距離である中心外端間距離Ｌｑがしごき孔８Ａの半径（基準孔径Ｄｐの１／２）より小さく形成さる。
【００８２】
これにより、多量塗布ブラシ部５Ｃは、図２４（Ａ）に示すように、基準孔径Ｄｐより大きいブラシ外周部ＯＢに付着した過剰な付着塗布液７Ａがしごき環部８Ｂによってしごき落とされると共に、基準孔径Ｄｐより小さいブラシ内周部ＩＢに加え、しごき孔８Ａと梁３３Ａとの間に残された液溜空間内周部分ＬＳａに多量の塗布液７を保持させて残すことができる。
【００８３】
突出部３４Ａは、図２２（Ａ）に示すように、少量塗布ブラシ部５Ｄの側部に芯材５Ｂに沿うように配置されると共に、図２３（Ｂ）に示すように、その外端からブラシ本体３０の中心までの距離である中心外端間距離Ｌｒがしごき孔８Ａの半径（基準孔径Ｄｐの１／２）より大きく形成されており、間隔維持部３５によって芯材５Ｂとの間隔が強固に維持される。
【００８４】
これにより、図２４（Ｂ）に示すように、突出部３４Ａは、しごき環部８Ｂに当接して、ブラシ部材２１の中心線ＣＬ上にある芯材５Ｂをしごき孔８Ａの中心８Ａａから偏心させることにより対向する芯材５Ｂをしごき環部８Ｂに向けて押し付けるため、芯材５Ｂ及びしごき環部８Ｂ間に挟まれたブラシ狭間部ＲＢを圧搾して少量塗布ブラシ部５Ｄを強くしごくことができる。
【００８５】
以上の構成において、液塗布具２が塗布液容器３から引き抜かれる際、しごき環部８Ｂによってシャフト４及び固定部３６に続きしごかれる多量塗布用ブラシ部５Ｃは、ブラシ外周部ＯＢの過剰な付着塗布液７Ａをしごき落とすと共に液溜空間内周部分ＬＳａに必要な量の付着塗布液７Ａを残すことができる。一方少量塗布ブラシ５Ｄは、図２５（Ｂ）に示すように、突出部３４Ａの配置されない直角方向においては、芯材５Ｂをしごき孔中心線ＲＣ上に保持したまましごくのに対し、図２５（Ａ）に示すように、並列方向においては、突出部３４Ａがしごき環部８Ｂに当接するため、その中心となる芯材５Ｂがしごき環部８Ｂに向けて押し付けられるようにしごき孔中心線ＲＣから偏心し、ブラシ狭間部ＲＢから付着塗布液７Ａを強く絞り出すことができ、過剰な付着塗布液７Ａを確実にしごき落として団子状液溜りを形成させない。
【００８６】
以上の構成の液保持部５によれば、カール動作用の梁３３Ａが一本だけ設けられているため、使用者はこの梁３３Ａを用いてカール動作できると共に、多量塗布ブラシ部５Ｃが図１５の多量塗布ブラシ部５Ｃと比較して連続した大きい面積を有するため、多量塗布ブラシ部５Ｃを用いてまつ毛に対して回転させながら塗布操作をすれば、１回の塗布動作によってまつ毛に濃い塗布液が簡単に塗布される。
【００８７】
このとき梁３３Ａの外側に塗布液７を保持する横方向の溝３３Ｃａが設けられているため、まつ毛を溝３３Ｃａに沿わせて簡単にまつ毛をカールさせることができると共に、使用者がカール動作する際、溝３３Ｃａに保持された塗布液７をまつ毛に塗布させることができる。
【００８８】
なお、上述した第４の実施の形態においては、枠本体３１が１本の梁３３Ａと１つの突出部３４Ａとを有するようにした場合について述べたが、本発明はこれに限らず、少量塗布ブラシ部５Ｄの側部に１つの突出部３４Ａ及び間隔維持部３５が設置されればよく、例えば図２６に示す液保持部５のように、２本の梁３３Ａ及び３３Ｂに１つの突出部３４Ａと間隔維持部３５とを設けたり、図２７に示す液保持部５のように、突出部３４Ａが取り付けられた間隔維持部３５を芯材５Ｂに対して直接固着するようにしても良い。このようにしても、同様に芯材５Ｂを偏心させることができ、過剰な付着塗布液７Ａを確実にしごき落として団子状液溜りを形成させない。
【００８９】
また、上述した第４の実施の形態においては、しごき環部８Ｂが可撓性を有する柔軟な樹脂材料によって形成されるようにした場合について述べたが、本発明はこれに限らず、可撓性を殆ど有さない硬質又は半硬質の樹脂材料によって形成されても良い。
【００９０】
（５）第５の実施の形態
図２８〜３１は第５の実施の形態を示すもので、図１〜９に示す第１の実施の形態に対応する部分を同一符号で示すように、液保持部５が曲がりブラシ５０でなる。図２８（Ｂ）に示すように、この曲がりブラシ５０は、中心となる芯材５Ｂに１種類のブラシ毛材が植毛され、全体的に先細りの円錐台形状を有するブラシ部材２１の芯材５Ｂを折り曲げることによって形成され、少量塗布ブラシ部５Ｄの少量塗布用芯材５Ｄｂが液塗布具本体２の中心線ＣＬに対して折曲方向に平行にずれるように折れ曲げられている。
【００９１】
この少量塗布用芯材５Ｄｂは、その中心から液塗布具本体２の中心線ＣＬまでの距離である芯材距離Ｌｘがしごき孔８Ａの基準孔径Ｄｐの１／２より大きくなるように形成されている。
【００９２】
以上の構成において、液塗布具本体２が塗布液容器３から引き抜かれ、シャフト４に引き続きしごかれる多量塗布ブラシ部５Ｃは、芯材５Ｂがしごき孔中心線ＲＣを通るため、多量の付着塗布液７Ａを残したままにすることができる。これに対して少量塗布ブラシ部５Ｄは、折り曲げられた少量塗布用芯材５Ｄｂをしごき環部８Ｂに当接させると共に、芯材５Ｂをしごき孔中心線ＲＣから偏心させることにより、しごき孔８Ａと芯材５Ｂに挟まれた折曲方向側にある少量塗布用毛材５Ｄａの付着塗布液７Ａを激しく絞り出すことができ、過剰な付着塗布液７Ａを確実にしごき落として団子状液溜りを形成させない。
【００９３】
以上の構成の液保持部５によれば、使用者は、多量塗布ブラシ部５Ｃ及び少量塗布ブラシ部５Ｄが互いに延長線上にないため、操作に応じて使用したい多量塗布ブラシ部５Ｃ及び少量塗布ブラシ部５Ｄをそれぞれ手前にすることができ、多量塗布ブラシ部５Ｃ及び少量塗布ブラシ部５Ｄを簡便に使い分けさせることができる。
【００９４】
なお、上述した第５の実施の形態においては、図２６に示す形状になるように液保持部５を形成した場合について述べたが、本発明はこれに限らず、芯材５Ｂはどのような形状に折り曲げられても良く、また、折り曲げられる前のブラシ部材２１の形状も限られない。
【００９５】
例えば、図３０（Ａ）に示すように、液保持部５は、先端の少量塗布ブラシ部５Ｄが多量塗布ブラシ部５Ｃと比較して大幅に細くなっているブラシ部材５２の先端を弓状に折り曲げ(図３０（Ｂ）)、多量塗布ブラシ部５Ｃに対して少量塗布ブラシ部５Ｄの少量塗布用毛材５Ｄａの先端が折曲方向へ突出しないように形成されても良い。この場合であっても、図３１に示すように、折り曲げられた芯材５Ｂをしごき環部８Ｂに沿わせて少量塗布ブラシ部５Ｄの折曲方向側を根元まで強くしごかせることができる。
【００９６】
（６）第６の実施の形態
図３２〜３３は第６の実施の形態を示すもので、図２８〜３１に示す第５の実施の形態に対応する部分を同一符号で示すように、液保持部５がブラシ部材５２を折り曲げることにより形成されたＵ字ブラシ６０でなる。このＵ字ブラシ６０は少量塗布ブラシ部５Ｄの少量塗布用芯材５Ｄｂが折曲方向へＵ字状に折れ曲がっている。
【００９７】
この少量塗布用芯材５Ｄｂは、液塗布具本体２の中心線ＣＬ上にある下向芯材６０Ｂと、その先端がシャフト側へ向いている上向芯材６０Ｃとを有している。
【００９８】
以上の構成において、液塗布具本体２が塗布液容器３から引き抜かれ、シャフト４に引き続きしごかれる多量塗布ブラシ部５Ｃは、芯材５Ｂがしごき孔中心線ＲＣを通るため、多量の付着塗布液７Ａを残したままにすることができる。これに対して少量塗布ブラシ部５Ｄは、上向き芯材６０Ｂをしごき環部８Ｂに当接させて液塗布具本体２の中心をしごき孔８Ａから偏心させることにより、折曲方向側を強くしごくだけでなく、当該折曲方向と反対側に存在する下向芯材６０Ｂをしごき環部８Ｂに向けて押し付けて少量塗布用毛材５Ｄａから付着塗布液７Ａを絞り出すことができ、過剰な付着塗布液７Ａを確実にしごき落として団子状液溜りを形成させない。
【００９９】
以上の構成の液保持部５によれば、２重に折り曲げられた少量塗布用芯材５Ｄｂ（下向芯材６０Ｂ及び上向芯材６０Ｃ）としごき環部８Ｂとの間隔が狭くなるため、折曲方向だけでなく当該折曲方向の反対側をも強くしごくことができるため、図２６の液保持部より少量塗布ブラシ部５Ｄを強くしごくことができ、使用者は少量塗布ブラシ部５Ｄを用いて簡便に微細な修正動作を行うことができる。
【０１００】
また、このＵ字ブラシ６０は、先頂部５Ａにも少量塗布用毛材５Ｃａが植毛されているため、使用者は、この先頂部５Ａを用いて微細な修正動作をすることが可能となる。
【産業上の利用可能性】
【０１０１】
本発明は、塗布対象に塗布液を塗布する場合に利用できるものである。
【図面の簡単な説明】
【０１０２】
【図１】液塗布具の構成を示す斜視図である。
【図２】基準孔径とブラシ本体の直径との関係の説明に供する略線図である。
【図３】しごき部材を示す（Ａ）は側面図、（Ｂ）は断面図、（Ｃ）は下面図である。
【図４】しごき時のブラシ毛材の説明に供する略線図である。
【図５】（Ａ）及び（Ｂ）は、シャフトのしごきの説明に供する略線図である。
【図６】（Ａ）及び（Ｂ）は、ブラシ部材のしごきの説明に供する略線図である。
【図７】しごき時のブラシ毛材の角度の説明に供する略線図である。
【図８】（Ａ）ないし（Ｉ）は、ブラシ毛材の断面形状の説明に供する略線図である。
【図９】（Ａ）及び（Ｂ）は、第１の実施の形態によるブラシ本体の形状の変形例を示す斜視図である。
【図１０】（Ａ）及び（Ｂ）は、第２の実施の形態の構成を示す略線図である。
【図１１】（Ａ）及び（Ｂ）は、多量塗布ブラシ部のしごきの説明に供する略線図である。
【図１２】（Ａ）及び（Ｂ）は、少量塗布ブラシ部のしごきの説明に供する略線図である。
【図１３】（Ａ）及び（Ｂ）は、第２の実施の形態による液保持部の構成の変形例を示す略線図である。
【図１４】（Ａ）及び（Ｂ）は、第２の実施の形態による押曲部の変形例を示す斜視図である。
【図１５】（Ａ）、（Ｂ）及び（Ｃ）は、第３の実施の形態による液保持部の構成を示す斜視図である。
【図１６】（Ａ）及び（Ｂ）は、多量塗布ブラシ部及び少量塗布ブラシ部の形状の説明に供する略線図である。
【図１７】（Ａ）及び（Ｂ）は、第３の実施の形態によるしごき時の液保持部としごき孔の状態の説明に供する略線図である。
【図１８】（Ａ）及び（Ｂ）は、第３の実施の形態による少量塗布ブラシ部のしごきの説明に供する略線図である。
【図１９】（Ａ）及び（Ｂ）は、第３の実施の形態による液保持部の構成の変形例（１）を示す斜視図である。
【図２０】（Ａ）及び（Ｂ）は、第３の実施の形態による液保持部の構成の変形例（２）を示す斜視図である。
【図２１】（Ａ）及び（Ｂ）は、第３の実施の形態による液保持部の構成の変形例（３）を示す斜視図である。
【図２２】（Ａ）、（Ｂ）及び（Ｃ）は、第４の実施の形態による液保持部の構成を示す斜視図である。
【図２３】（Ａ）及び（Ｂ）は、多量塗布ブラシ部及び少量塗布ブラシ部の形状の説明に供する略線図である。
【図２４】（Ａ）及び（Ｂ）は、第４の実施の形態によるしごき時の多量塗布ブラシ部及び少量塗布ブラシ部の状態の説明に供する略線図である。
【図２５】（Ａ）及び（Ｂ）は、第４の実施の形態による少量塗布ブラシ部のしごきの説明に供する略線図である。
【図２６】（Ａ）及び（Ｂ）は、第４の実施の形態による液保持部の構成の変形例（１）を示す略線図である。
【図２７】（Ａ）及び（Ｂ）は、第４の実施の形態による液保持部の構成の変形例（２）を示す略線図である。
【図２８】（Ａ）及び（Ｂ）は、第５の実施の形態による液保持部の構成を示す略線図である。
【図２９】第５の実施の形態による少量塗布ブラシ部のしごきの説明に供する略線図である。
【図３０】（Ａ）及び（Ｂ）は、第５の実施の形態による液保持部の構成の変形例を示す略線図である。
【図３１】（Ａ）及び（Ｂ）は、第５の実施の形態による少量塗布ブラシ部のしごき（２）の説明に供する略線図である。
【図３２】（Ａ）及び（Ｂ）は、第６の実施の形態による液保持部の構成を示す略線図である。
【図３３】（Ａ）及び（Ｂ）は、第６の実施の形態による少量塗布ブラシ部のしごきの説明に供する略線図である。
【図３４】従来の構成の説明に供する略線図である。
【符号の説明】
【０１０３】
１、２１、Ｒ１……液塗布具、２……液塗布具本体、３……塗布液容器、３Ａ……取出口、４……シャフト、５……液保持部、５Ａ……ブラシ先頂部、５Ｂ……芯材、５Ｃ……多量塗布ブラシ部、５Ｃａ……多量塗布用毛材、５Ｄ……少量塗布ブラシ部、５Ｄａ……少量塗布用毛材、６……キャップ、７……塗布液、８……しごき部材、８Ａ……しごき孔、８Ｂ……しごき環部、１５、２１、５２……ブラシ部材、２２……押曲部、３１……枠本体、３３Ａ、３３Ｂ……梁、３４Ａ、３４Ｂ……突出部、３５……間隔維持部、３６……固定部、５０……曲がりブラシ、６０……Ｕ字ブラシ。
【図１】
2007307311.tif 000003
【図２】
2007307311.tif 000004
【図３】
2007307311.tif 000005
【図４】
2007307311.tif 000006
【図５】
2007307311.tif 000007
【図６】
2007307311.tif 000008
【図７】
2007307311.tif 000009
【図８】
2007307311.tif 000010
【図９】
2007307311.tif 000011
【図１０】
2007307311.tif 000012
【図１１】
2007307311.tif 000013
【図１２】
2007307311.tif 000014
【図１３】
2007307311.tif 000015
【図１４】
2007307311.tif 000016
【図１５】
2007307311.tif 000017
【図１６】
2007307311.tif 000018
【図１７】
2007307311.tif 000019
【図１８】
2007307311.tif 000020
【図１９】
2007307311.tif 000021
【図２０】
2007307311.tif 000022
【図２１】
2007307311.tif 000023
【図２２】
2007307311.tif 000024
【図２３】
2007307311.tif 000025
【図２４】
2007307311.tif 000026
【図２５】
2007307311.tif 000027
【図２６】
2007307311.tif 000028
【図２７】
2007307311.tif 000029
【図２８】
2007307311.tif 000030
【図２９】
2007307311.tif 000031
【図３０】
2007307311.tif 000032
【図３１】
2007307311.tif 000033
【図３２】
2007307311.tif 000034
【図３３】
2007307311.tif 000035
【図３４】
2007307311.tif 000036